(57)【要約】      （修正有）【課題】簡単な構造で、現場で容易に戸当たり材の位置変更を行なって、多種のドアに対応することができるドア枠を提供する。【解決手段】外面１ａが平面状の枠体１と、平板部３から戸当り受けを嵌め込むため突起部が前方に突設される可動化粧板２と、断面略Ｌ字型の一対の固定化粧板５、６とを有し、固定化粧板５、６は、略Ｌ字型の一方５ｂ、６ｂが前記外面と一定の間隔を有するように、略Ｌ字型の他方５ａ、６ａが枠体１の側面１ｂ、１ｃに固定されてスライド空間Ｓを形成するものであって、可動化粧板２は、平板部３がスライド空間Ｓにスライド自在に収納されて、幅方向にスライド可能である。また、スライド空間Ｓの領域の中で、平板部３をスライド空間Ｓの奥側に最大限にスライドさせた場合であっても到達しない部分には、充填部材１０、１１が配されている。 【選択図】図１
2005336810.tif 000002
【特許請求の範囲】
【請求項１】
外面が平面状の枠体と、平板部から戸当り受けを装着するため突起部が前方に突設される可動化粧板と、断面略Ｌ字型の一対の固定化粧板とを有し、
前記固定化粧板は、略Ｌ字型の一方が前記外面と一定の間隔を有するように、略Ｌ字型の他方が前記枠体の側面に固定されてスライド空間を形成するものであって、
前記可動化粧板は、平板部が前記スライド空間にスライド自在に収納されて、幅方向にスライド可能であることを特徴とするドア枠。
【請求項２】
前記スライド空間の領域の中で、平板部を前記スライド空間の奥側に最大限にスライドさせた場合であっても到達しない部分には、充填部材が配されていることを特徴とする請求項１に記載のドア枠。
【発明の詳細な説明】
【技術分野】
【０００１】
本発明は、ドア枠に関するものであり、より詳細には、平板状の外面に化粧板が付設されるドア枠に関するものである。
【背景技術】
【０００２】
従来のドア枠としては、図２に示すような、木材製の枠材２１及び木材製の２本のパッキン用角材２２と硬質合成樹脂でそれぞれ一体成型された前後の化粧板２３，２４と硬質合成樹脂製の戸当たり材２５と硬質合成樹脂製の左右一対の縁飾り材２６とで構成され、前側の化粧板２３は、枠材２１の平らな表面２１ａの前部を覆う主要部分の先端縁に、戸当たり材２５を嵌合させる断面コ字状の突部２７を全長に設けるとともに、枠材２１の前側面の一部を覆う基端縁部に、枠材１の前側面の凹溝に外面が嵌合する断面Ｅ字状の嵌合部２８を全長に設けているものが知られている（特許文献１）。
【０００３】
しかし、上述のようなドア枠では、現場施工時に枠材やドア材の寸法が設計変更されたり、設計時とは異なっていた場合には、前側の化粧板２３の端部から突部２７までの距離Ｄを変えることは困難であるため、後側の化粧板２４の先端部２４ａを所定の長さにカットすることによって対応するが、戸当たり材２５の位置は不変であるので、多種のドアに対応することができないという問題点があった。
【特許文献１】実公平０７−０４７５８９号公報
【発明の開示】
【発明が解決しようとする課題】
【０００４】
本発明は、このような点に鑑みてなされたものであり、その目的とするところは、簡単な構造で、現場で容易に戸当たり材の位置変更を行なって、多種のドアに対応することができるドア枠を提供することである。
【課題を解決するための手段】
【０００５】
上記した課題を解決するために、本発明の請求項１に係るドア枠は、外面が平面状の枠体と、平板部から戸当り受けを装着するため突起部が前方に突設される可動化粧板と、断面略Ｌ字型の一対の固定化粧板とを有し、前記固定化粧板は、略Ｌ字型の一方が前記外面と一定の間隔を有するように、略Ｌ字型の他方が前記枠体の側面に固定されてスライド空間を形成するものであって、前記可動化粧板は、平板部が前記スライド空間にスライド自在に収納されて、幅方向にスライド可能であることを特徴とする。
【０００６】
本発明の請求項２に係るドア枠は、前記スライド空間の領域の中で、平板部を前記スライド空間の奥側に最大限にスライドさせた場合であっても到達しない部分には、充填部材が配されていることを特徴とする。
【発明の効果】
【０００７】
本発明の請求項１に係るドア枠によると、前記固定化粧板は、略Ｌ字型の一方が前記外面と一定の間隔を有するように、略Ｌ字型の他方が前記枠体の側面に固定されてスライド空間を形成するものであって、前記可動化粧板は、平板部が前記スライド空間にスライド自在に収納されて、幅方向にスライド可能であるので、可動化粧板をスライドさせて最適な位置に移動させることが可能となり、施工現場において、多種のドアに対して戸当たり位置の最適位置への変更を容易に行なうことが可能となる。
【０００８】
本発明の請求項２に係るドア枠によると、請求項１に記載の効果に加えて、前記スライド空間の領域の中で、平板部を前記スライド空間の奥側に最大限にスライドさせた場合であっても到達しない部分には、充填部材が配されているので、スライドに不要な空間が少なくなるため、可動化粧板のスライド動作が一層安定する。
【発明を実施するための最良の形態】
【０００９】
本発明の実施形態を図１に基づいて説明する。図１において、１は枠体、１ａは枠体１の外面、１ｂ、１ｃは枠体１の側面、２は可動化粧板、３は平板部、４は突起部、５、６は固定化粧板、７は開口部、８は戸当り受け、９は当接部、１０、１１は充填部材である。
【００１０】
図１は、本実施形態におけるドア枠の概要を示す水平方向の断面図である。同図に示すように、本実施形態におけるドア枠は、外面１ａが平面状の枠体１と、前記外面１ａの中央部の略全長に付設される可動化粧板３と、断面略Ｌ字型であって、前記枠体１の左右両側面１ｂ、１ｃにそれぞれ固定されてスライド空間Ｓを形成する固定化粧板５、６とを有する。
【００１１】
枠体１は、略四角柱状の木材製棒材であって、室内等の開口部に固定設置されているものである。
【００１２】
可動化粧板２は、ＡＢＳ樹脂からなる断面略π型部材であって、平板状部材からなる平板部３と、平板部３の幅方向の中央から略直角に突設される一対の突起部４とが一体に成形されたものである。突起部４は、枠体１に付設された状態では、平板部３から前方に向かって突設しており、この突起部４に、キャップ状の戸当り受け８が着脱自在に装着される。
【００１３】
固定化粧板５、６は、ＡＢＳ樹脂からなる略同一形状の断面略Ｌ字型部材であり、直交する２片のうちの他方５ａ、６ａは、それぞれ枠体１の側面１ｂ、１ｃに固定されて、２片のうちの一方５ｂ、６ｂは、外面１ａと一定の間隔（可動化粧板２の平板部３の板厚と略同一がやや大きい間隔）を有するように形成される。このようにすることにより、枠体１の外面１ａと固定化粧板５、６とで囲われた領域に、可動化粧板２が水平方向である幅方向にスライドするためのスライド空間Ｓが形成される。
【００１４】
また、固定化粧板５、６が枠体１の側面１ｂ、１ｃに固定された状態では、２片のうちの一方５ｂ、６ｂの端面同士が、前記突起部４の幅よりも大きい一定の間隔を有して、開口部７を形成している。この開口部７の間隔は、可動化粧板２のスライド部位やスライド幅をどのようにするかにより決定され、所望の形状の固定化粧板５、６を選択することにより、適宜変更することができる。
【００１５】
上述した可動化粧板２は、平板部３がスライド空間Ｓにスライド自在に収納されて、幅方向にスライド可能に形成されている。すなわち、可動化粧板２は、平板部３がスライド空間Ｓ内に収容されるとともに、開口部７から突起部４が前方に突出しており、この突起部４の一方の側面が固定化粧板５の２片のうちの一方５ｂの端面と当接する位置から、突起部４の他方の側面が固定化粧板６の２片のうちの他方６ｂの端面と当接する位置までが、可動化粧板２のスライド幅になっている。
【００１６】
なお、戸当り受け８の側周面の所定部位には、軟質ゴムからなる水平断面が略半球状の当接部９が突設されている。ドアを閉める場合には、ドアの側端がこの当接部９に当接し、当接部９は軟質ゴムからなるので、ドアを閉めた際の衝撃で化粧板や枠体１が損傷することを防止している。
【００１７】
以上のような構成とすることにより、可動化粧板２をスライドさせて最適な位置に移動させることが可能となり、施工現場において、多種のドアに対して戸当たり位置の最適位置への変更を容易に行なうことが可能となる。
【００１８】
また、スライド空間Ｓの領域の中で、平板部３をスライド空間Ｓの奥側に最大限にスライドさせた場合であっても到達しない部分には、充填部材１０、１１が配されることが好ましい。このようにすることにより、スライドに不要な空間が少なくなるため、可動化粧板のスライド動作が一層安定する。
【００１９】
その際、本実施形態に示すように、充填部材１０、１１の大きさを最大限にして、スライド空間Ｓが、可動化粧板２がスライドする際の可動範囲と略同一にすることがより好ましい。このようにすることにより、スライド空間Ｓは、可動化粧板２がスライドする際の可動範囲と略同一となり、スライドに必要なエリアのみに空間が形成されて、スライドに不要な空間がなくなる。そのため、可動化粧板２のスライド動作が更に安定する。
【００２０】
本実施形態においては、充填部材１０、１１は、固定化粧板５、６とは別部材であったが、これに限定されるものではなく、固定化粧板５、６と一体に形成されるものであってもよい。また、充填材１０、１１は、いずれか一方のみが配されるものであってもよい。
【図面の簡単な説明】
【００２１】
【図１】本発明の実施形態におけるドア枠の概要を示す水平方向の断面図である。
【図２】従来例を示す分解状態の端面図である。
【符号の説明】
【００２２】
１    枠体
１ａ  外面
２    可動化粧板
３    平板部
５，６  固定化粧板
５ａ、６ａ  略Ｌ字型の他方
５ｂ、６ｂ  略Ｌ字型の一方
Ｓ    スライド空間
【図１】
2005336810.tif 000003
【図２】
2005336810.tif 000004